(57)【特許請求の範囲】
【請求項１】
主部と付属部とを備えており、
上記主部が、ボディと、このボディに固定されたマウントとを備えており、
上記付属部が、上記マウントに対して着脱可能であり、
上記マウントがプレートを備えており、上記付属部がスリットを備えており、このスリットにプレートが挿入されることで上記付属部がマウントに取り付けられうるエギ。
【請求項２】
上記マウントが、その幅がプレートの幅よりも大きい拡幅部を備えており、上記スリットが凹陥部を備えており、この凹陥部に拡幅部が挿入されることにより、マウントからの付属部の脱落が阻止されうる請求項１に記載のエギ。
【請求項３】
上記付属物が比重調整部材である請求項１又は２に記載のエギ。
【請求項４】
上記付属物が水受け面を有する請求項１又は２に記載のエギ。
【発明の詳細な説明】
【技術分野】
【０００１】
本発明は、イカ釣りに用いられるエギ（疑似餌）に関する。
【背景技術】
【０００２】
「エギング」と称されるイカ釣りが、盛んに行われている。このイカ釣りには、エギが用いられる。エギは、本体と、アイと、針部と、重錘とを備えている。本体は木又は合成樹脂からなり、エビに似た形態を備えている。アイには、ラインが結ばれる。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギはジグザグに移動する。この動作は、「ダート」と称されている。これらの動作により、イカはエギをベイトと勘違いし、エギに抱きつく。このとき、イカに針部が引っかかり、イカが釣り上げられる。
【０００３】
エギの沈降姿勢は、その質量と重心位置とに大きく依存する。重心が後寄りのエギは、ヘッドとテールとが水平を保ちつつ沈降する。一方、重心が前寄りのエギは、テールよりもヘッドが下に位置しつつ沈降する。エギの沈降速度も、その重心位置に大きく依存する。重心が後寄りのエギは、ゆっくりと沈降する。一方、重心が前寄りのエギは、速く沈降する。ジグザグに移動するときの幅（以下「ダート幅」と称される）も、エギの質量及び重心位置に大きく依存する。
【０００４】
潮の流れの強さ及び方向、水深、水温、イカの活性等の状況に応じ、釣り人は、質量及び重心位置が適切なエギを選択する。釣り人は、質量及び重心位置の異なる複数のエギを準備しなければならない。このことは、釣り人にとって負担である。
【０００５】
重心位置のチューニングが、釣り人によって行われることもある。具体的には、本体又は重錘の所定位置に糸重錘が巻き付けられることで、エギの重心位置が変更されうる。この巻き付け作業は、釣り人にとって負担である。また、糸重錘の量や位置は釣り人の勘に委ねられるので、重心位置の正確な設定は不可能である。
【０００６】
特開２００７−１８５１１２公報には、前後方向にスライドしうる重錘を備えたエギが開示されている。このエギでは、重錘の位置の変更により、重心位置が変更されうる。
【先行技術文献】
【特許文献】
【０００７】
【特許文献１】特開２００７−１８５１１２公報
【発明の概要】
【発明が解決しようとする課題】
【０００８】
上記公報に開示されたエギでは、重心の移動範囲はさほど広くない。さらに、重心以外の種々の仕様についても、釣り人からは、変更したいとの要請がある。本発明の目的は、容易に仕様が変更されうるエギの提供にある。
【課題を解決するための手段】
【０００９】
本発明に係るエギは、主部と付属部とを備える。主部は、ボディと、このボディに固定されたマウントとを備える。付属部は、マウントに対して着脱可能である。
【００１０】
好ましくは、マウントはプレートを備え、付属部はスリットを備える。このスリットにプレートが挿入されることで、付属部がマウントに取り付けられうる。好ましくは、マウントは、その幅がプレートの幅よりも大きい拡幅部を備え、スリットは、凹陥部を備える。この凹陥部に拡幅部が挿入されることにより、マウントからの付属部の脱落が阻止されうる。
【００１１】
好ましくは、付属物は比重調整部材である。付属物が水受け面を有してもよい。
【発明の効果】
【００１２】
本発明に係るエギでは、種々の付属部が主部に装着されうる。このエギでは、付属部に由来する種々の性能が発揮されうる。
【図面の簡単な説明】
【００１３】
【図１】図１は、本発明の一実施形態に係るエギが示された正面図である。
【図２】図２は、図１のエギの一部が示された拡大分解図である。
【図３】図３は、図１のIII−III線に沿った拡大断面図である。
【図４】図４は、図３のエギの分解図である。
【図５】図５は、図３のＶ−Ｖ線に沿った断面図である。
【図６】図６は、図１のエギのマウントが示された拡大斜視図である。
【図７】図７は、図１のエギの付属部が示された拡大斜視図である。
【図８】図８、図１のエギが使用された様子が、ラインと共に示された正面図である。
【図９】図９は、図１のエギが使用された様子が、ラインと共に示された正面図である。
【図１０】図１０は、本発明の他の実施形態に係るエギの一部が示された分解図である。
【図１１】図１１は、図１０のXI−XI線に沿った断面図である。
【図１２】図１２は、図１０のエギの付属部が示された平面図である。
【図１３】図１３は、図１０のエギが使用された様子が示された正面図である。
【図１４】図１４は、本発明のさらに他の実施形態に係るエギの一部が示された分解図である。
【発明を実施するための形態】
【００１４】
以下、適宜図面が参照されつつ、好ましい実施形態に基づいて本発明が詳細に説明される。
【００１５】
図１から７に示されたエギ２は、主部４と付属部６とからなる。主部４は、ボディ８、ヒレ１０、アイ１２、針部１４及びマウント１６を備えている。図１において、左側がエギ２の前側であり、右側がエギ２の後側である。
【００１６】
ボディ８の形状は、エビに類似している。ボディ８は、ヘッド１８及びテール２０を有している。図３に示されるように、ボディ８は左ハーフ２２と右ハーフ２４とからなる。左ハーフ２２は、突起２６を備えている。ボディ８は、木又は合成樹脂からなる。ボディ８の表面が、着色されてもよい。ボディ８の表面に、模様が画かれてもよい。着色や模様は、イカに対するアピールに寄与する。ボディ８にクロスが巻かれ、このクロスが着色されてもよい。
【００１７】
ヒレ１０は、合成樹脂等からなる。ヒレ１０は、羽毛状である。ヒレ１０は、ボディ８に、接着剤等の手段によって接合されている。ヒレ１０は、イカに対するアピールに寄与する。ヒレ１０が、天然の羽毛からなってもよい。
【００１８】
アイ１２は、ボディ８の前端に位置する。アイ１２は、金属線が曲げられて形成されている。金属線の後端は、ボディ８に埋め込まれており、ボディ８に堅固に固定されている。このアイ１２には、ラインが結ばれる。
【００１９】
針部１４は、ボディ８の後端に位置する。針部１４は、軸２８、前針３０及び後針３２からなる。軸２８の前端は、ボディ８に埋め込まれており、ボディ８に堅固に固定されている。前針３０は、軸２８の途中から前方に向かって延びている。多数の前針３０が、放射状に配列されている。後針３２は、軸２８の後端から前方に向かって延びている。多数の後針３２が、放射状に配列されている。前針３０及び後針３２は、先細り形状である。イカがエギ２に抱きついたとき、イカの触手が前針３０又は後針３２に引っ掛かる。これにより、イカが釣り上げられる。
【００２０】
図６に示されるように、マウント１６は、プレート３４と拡幅部３６とからなる。プレート３４と拡幅部３６とは、一体に成形されている。プレート３４は、孔３８を有している。拡幅部３６は、棒状である。拡幅部３６は、プレート３４の下端に位置している。図４において、符号Ｗ１で示されているのはプレート３４の幅であり、符号Ｗ２で示されているのは拡幅部３６の幅である。幅Ｗ２は、幅Ｗ１よりも大きい。
【００２１】
図３に示されるように、プレート３４は、左ハーフ２２と右ハーフ２４とに挟まれている。これにより、マウント１６がボディ８に固定されている。孔３８には、突起２６が通されている。孔３８と突起２６とにより、ボディ８からのマウント１６の脱落が阻止されている。左ハーフ２２が、突起２６を備えなくてもよい。この場合、左ハーフ２２、孔３８及び右ハーフ２４を貫通するピンにより、マウント１６の脱落が阻止される。プレート３４の上部は、ボディ８に埋設されている。プレート３４の下部は、ボディ８から露出している。
【００２２】
マウント１６は、硬質材料からなる。マウント１６の典型的な材質は、金属又は硬質合成樹脂である。金属粉末が分散した樹脂組成物が、マウント１６に用いられてもよい。この樹脂組成物により、マウント１６の高比重が達成されうる。
【００２３】
付属部６の全体形状は、一般的なエギの重錘の形状に類似している。図２及び５に示されるように、付属部６は、スリット４０と凹陥部４２とを備えている。スリット４０及び凹陥部４２は、それぞれ、図２における左右方向に延在している。図４において、符号Ｗ３で示されているのはスリット４０の幅であり、符号Ｗ４で示されているのは凹陥部４２の幅である。幅Ｗ４は、幅Ｗ３よりも大きい。
【００２４】
スリット４０の幅Ｗ３は、プレート３４の幅Ｗ１と同等か、若干大きい。凹陥部４２の幅Ｗ４は、拡幅部３６の幅Ｗ２と同等か、若干大きい。スリット４０の幅Ｗ３は、拡幅部３６の幅Ｗ２よりも小さい。
【００２５】
スリット４０及び凹陥部４２を有する付属部６の成形では、脱型の容易の目的で、スリット４０及び凹陥部４２がテーパー（「抜きテーパー」と称されている）が設けられる。スリット４０及び凹陥部４２に治具が挿入され、付属部６が押圧変形させられることにより、テーパーが消滅する。その後、この治具がスリット４０及び凹陥部４２から引き抜かれる。引き抜きのとき、治具はスリット４０及び凹陥部４２を擦る。この擦り（すなわちバニシング）により、表面が平滑で、かつテーパーを有さないスリット４０及び凹陥部４２が得られる。
【００２６】
付属部６は、海水の比重よりも大きな比重を有する。付属部６の典型的な材質は、鉛、鉛合金及びタングステン合金である。
【００２７】
主部４に付属部６が装着されるとき、図２における矢印Ａ１の方向に、付属部６がスライドさせられる。スライドにより、スリット４０にプレート３４が挿入される。この挿入により、付属部６がマウント１６に取り付けられる。このスライドにより、凹陥部４２に拡幅部３６が挿入される。スリット４０の幅Ｗ３が拡幅部３６の幅Ｗ２より小さいので、拡幅部３６はスリット４０には入り込まない。この拡幅部３６により、マウント１６からの付属部６の下方への脱落が阻止されている。スリット４０は、前壁４４を有している。スライドのとき、プレート３４の前端４６が前壁４４に当接する。この当接により、付属部６の適正な位置が決められる。適正位置において付属部６の意図せぬスライドを阻止する目的で、エギ２がストッパーを備えてもよい。付属部６が根掛かりした状態でエギ２が引かれても、前壁４４により、マウント１６からの、付属部６の後方への脱落が阻止される。主部４から付属部６が外されるとき、図２における矢印Ａ１の反対方向に、付属部６がスライドさせられる。この付属部６は、マウント１６に対して容易に着脱される。
【００２８】
図８には、図１のエギ２の使用状態が示されている。この図８では、付属部６が主部４に装着されている。この付属部６は高比重であり、かつボディ８の前寄りに位置するので、エギ２の重心は前寄りである。従って、エギ２は水中において、ヘッド１８よりもテール２０が高い位置にある姿勢を保持しつつ、沈降する。この姿勢では、水の抵抗が小さいので、エギ２は高速で沈降する。
【００２９】
図８において矢印Ａ２で示されているのは、ライン４４にテンションが掛けられた状態でエギ２が沈降するときの沈降方向である。符号αで示されているのは、そのときの沈降角度である。重心が前寄りにあるエギ２では、沈降角度αは大きい。
【００３０】
釣り人がライン４４を巻きつつ竿先を左右に連続的に動かすと、エギ２はジグザグに移動する。重心が前寄りのエギ２は、大きなダート幅を伴って移動する。
【００３１】
沈降速度が速いエギ２、沈降角度が大きいエギ２又はダート幅が大きいエギ２に対してアタックしやすいイカがターゲットであるときは、主部４に付属部６が装着されることが有利である。
【００３２】
図９には、図１のエギ２の他の使用状態が示されている。この図９では、主部４から付属部６が外されている。従って、エギ２の重心は後寄りである。図８及び９の対比から明らかなように、図９では、ヘッド１８の高さとテール２０の高さの差が小さい。換言すれば、エギ２は水中において、水平に近い姿勢を保持しつつ、沈降する。この姿勢では、水の抵抗が大きいので、エギ２は低速で沈降する。
【００３３】
図９において矢印Ａ３で示されているのは、アイ１２に結ばれたライン４４にテンションが掛けられた状態でエギ２が沈降するときの沈降方向である。符号βで示されているのは、そのときの沈降角度である。重心が後寄りにあるエギ２では、沈降角度βは小さい。
【００３４】
釣り人がライン４４を巻きつつ竿先を左右に連続的に動かすと、エギ２はジグザグに移動する。重心が後寄りのエギ２は、小さなダート幅を伴って移動する。
【００３５】
沈降速度が遅いエギ２、沈降角度が小さいエギ２又はダート幅が小さいエギ２に対してアタックしやすいイカがターゲットであるときは、主部４に付属部６が装着されないことが有利である。
【００３６】
好ましくは、質量の異なる複数の付属部６が準備される。釣り人は、釣り場の状況に応じ、適切な質量の付属部６を選び、この付属部６を主部４に取り付ける。釣り場の状況が変化したとき、釣り人は付属部６を他の付属部６に交換する。この交換は、容易になされうる。付属物として、浮力体が用いられてもよい。浮力体の比重は、海水の比重よりも小さい。この浮力体によっても、海水での姿勢が調整されうる。マウント１６の高比重と浮力体の低比重とが相殺され、例えばサスペンドタイプのエギ２が、容易に得られうる。本発明では、その比重が海水の比重とは異なる付属部６は、「比重調整部材」と称される。
【００３７】
このエギ２では、マウント１６の、ボディ８から露出した部分に付属部６が装着される。従って、付属部６を装着するための穴が主部４に設けられる必要がない。穴を有するエギが、付属部６が装着されない状態で使用されると、使用中に穴の中の空気が抜けることで、比重が変化してしまう。本発明に係るエギ２は主部４に穴を有さないので、比重の意図せぬ変化は起こらない。
【００３８】
図１０は、本発明の他の実施形態に係るエギ４６の一部が示された分解図である。このエギ４６は、主部４８と付属部５０とからなる。主部４８の形状は、図１に示されたエギ２の主部４の形状と同一である。但し、この主部４８は、比重の小さな材料からなる。このエギ４６の比重は、海水の比重とほぼ同等である。このエギ４６は、サスペンドタイプである。主部４８は、ボディ５２及びマウント５４を備えている。
【００３９】
図１１に示されるように、付属部５０は、スリット５６と凹陥部５８とを備えている。図１０における矢印Ａ４の方向に付属部５０がスライドさせられることにより、スリット５６にプレート６０が挿入される。この挿入により、付属部５０がマウント５４に取り付けられる。このスライドにより、凹陥部５８に拡幅部６２が挿入される。拡幅部６２により、マウント５４からの付属部５０の脱落が阻止されている。主部４８から付属部５０が外されるとき、図１１における矢印Ａ４の反対方向に、付属部５０がスライドさせられる。
【００４０】
付属部５０は、さらにリップ６４を備えている。図１２に示されるように、リップ６４の面積は大きい。図１１に示されるように、リップ６４は、前に向かって下向きに傾斜している。リップ６４の上面は、水受け面６６である。リップ６４が傾斜しているので、水受け面６６も、前に向かって下向きに傾斜している。
【００４１】
図１３には、図１０のエギ４６の使用状態が示されている。この図１０では、付属部５０が主部４８に装着されている。ライン４４が引かれると、エギ４６が前進する。このとき、水受け面６６に、大きな水の抵抗がかかる。水受け面６６は、下方向への揚力を生み出す。この揚力により、エギ４６はヘッド６８よりもテール７０が高い姿勢になる。揚力によってエギ４６は、図１３において矢印Ａ５で示されるように、潜行する。この動作は、イカにアピールする。
【００４２】
好ましくは、水受け面６６の傾斜角度が異なる複数の付属部５０が準備される。釣り人は、釣り場の状況に応じ、適切な傾斜角度の付属部５０を選び、この付属部５０を主部４８に取り付ける。潜行の速度及び深さは、選ばれた付属部５０に依存する。釣り場の状況が変化したとき、釣り人は付属部５０を他の付属部５０に交換する。この交換は、容易になされうる。水受け面６６が、前に向かって上向きに傾斜してもよい。上向きに傾斜した水受け面を有するエギは、ライン４４が引かれることにより、上方へと移動する。ライン４４が強く引かれることにより、このエギは、大きくジャンプする。
【００４３】
シンキングタイプのエギが、水受け面６６を有する付属部５０を備えてもよい。シンキングタイプのエギの比重は、海水の比重よりも大きい。フローティングタイプのエギが、水受け面６６を有する付属部５０を備えてもよい。フローティングタイプのエギの比重は、海水の比重よりも小さい。
【００４４】
図１４は、本発明のさらに他の実施形態に係るエギ７２の一部が示された分解図である。このエギ７２は、主部７４と付属部７６とからなる。主部７４の形状は、図１０に示されたエギ４６の主部４８の形状と同一である。主部７４は、ボディ７８及びマウント８０を備えている。
【００４５】
付属部７６は、スリット８２、凹陥部８４及びリップ８６を備えている。スリット８２、凹陥部８４及びリップ８６の形状は、図１０から１１に示された付属部５０のそれらの形状とほぼ同じである。図１４における矢印Ａ５の方向に付属部７６がスライドさせられることにより、スリット８２にプレート８８が挿入される。この挿入により、付属部７６がマウント８０に取り付けられる。このスライドにより、凹陥部８４に拡幅部９０が挿入される。拡幅部９０により、マウント８０からの付属部７６の脱落が阻止されている。主部７４から付属部７６が外されるとき、図１１における矢印Ａ５の反対方向に、付属部７６がスライドさせられる。リップ８６は、前に向かって下向きに傾斜している。リップ８６の上面は、水受け面９２である。
【００４６】
付属部７６はさらに、空間９４と重錘９６とを備えている。重錘９６は、球状である。重錘９６の一部は、空間９４に収容されている。重錘９６の他の部分は、リップ８６から露出している。空間９４に収容されている部分の方が、リップ８６から露出している部分よりも大きい。従って、この重錘９６は空間９４から脱落しない。リップ８６が低比重な材料からなる場合でも、この重錘９６によってエギ７２がバランスよく泳ぎうる。付属部７６が、他の形状の重錘９６を備えてもよい。
【００４７】
付属部として、発光体が用いられてもよい。典型的な発光体は、化学反応によって発光する液体が封入されたカプセルである。光は、集魚効果を有する。化学反応の終了によって発光体が発光しなくなったとき、釣り人は、主部から発光体を取り外し、新たな発光体を主部に装着する。
【００４８】
付属部として、発音体が用いられてもよい。典型的な発音体では、多数の微小球がチャンバーに封入されている。エギが動くとき、この微小球がチャンバーの壁面に衝突し、音が発生する。この音は、集魚効果を有する。釣り人は、釣り場の状況に応じ、発音体を主部に取り付けることができ、主部から発音体を取り外すことができる。
【産業上の利用可能性】
【００４９】
本発明に係るエギは、種々の目・科に属するイカの釣りに用いられうる。このエギは、タコの釣りにも用いられうる。
【符号の説明】
【００５０】
２、４６、７２・・・エギ
４、４８、７４・・・主部
６、５０、７６・・・付属部
８、５２、７８・・・ボディ
１６、５４、８０・・・マウント
３４、６０、８８・・・プレート
３６、６２、９０・・・拡幅部
４０、５６、８２・・・スリット
４２、５８、８４・・・凹陥部
６４、８６・・・リップ
６６、９２・・・水受け面
９４・・・空間
９６・・・重錘
【図１】
0005530666.tif 000002
【図２】
0005530666.tif 000003
【図３】
0005530666.tif 000004
【図４】
0005530666.tif 000005
【図５】
0005530666.tif 000006
【図６】
0005530666.tif 000007
【図７】
0005530666.tif 000008
【図８】
0005530666.tif 000009
【図９】
0005530666.tif 000010
【図１０】
0005530666.tif 000011
【図１１】
0005530666.tif 000012
【図１２】
0005530666.tif 000013
【図１３】
0005530666.tif 000014
【図１４】
0005530666.tif 000015